(57)【要約】【課題】食器カゴの支持構成において、充分な支持強度と省スペース化を両立する食器洗い機を実現する。【解決手段】洗浄槽１内に上下２段に配設された食器カゴ５、１５を配設し、洗浄槽１背面内壁に扁平な筒状で構成される固定洗浄ノズル１８が配設される。上段の食器カゴ１５の支持部１６、１７を固定洗浄ノズル１８に設けることで、固定洗浄ノズル１８は筒形状をしていることから充分な強度をもって上段の食器カゴ１５を支持することができ、また、構成を簡易にすることができるため、省スペース化も同時に図ることができる。【選択図】図２
2007282764.tif 000002
【特許請求の範囲】
【請求項１】
前面に開口を有する洗浄槽と、前記洗浄槽内に上下２段に配設された食器カゴと、前記食器カゴを支える複数の支持部と前記食器カゴに収容された被洗浄物に洗浄水を噴射する固定洗浄ノズルとを備え、前記食器カゴのうち上段の食器カゴを支える前記複数の支持部のうち少なくとも１つを前記固定洗浄ノズルに設けた食器洗い機。
【請求項２】
固定洗浄ノズルは、洗浄槽の背面内壁に沿わせて配設した請求項１に記載の食器洗い機。
【請求項３】
上段の食器カゴは、固定洗浄ノズルに回動自在に支持した請求項１または２に記載の食器洗い機。
【発明の詳細な説明】
【技術分野】
【０００１】
本発明は洗浄槽内に収容した食器に洗浄水を噴射して食器を洗浄する食器洗い機に関するものである。
【背景技術】
【０００２】
従来の一般的な食器洗い機は、図４、５に示すように構成されていた。以下に、従来の食器洗い機について図４、５を用いて説明する。
【０００３】
図４、５において、従来の食器洗い機は、前面に開口部１ａをもつ洗浄槽１と、開閉可能な扉２を有し、洗浄槽１の底部中央に洗浄水を噴射する回転洗浄ノズル３が設けられ、洗浄槽１内には食器類１０を収容するカゴとして、上段カゴ４と下段カゴ５とが設けられている。扉２を開けている時には、下段カゴ５は、扉２内面上と洗浄槽１との間を前後方向に引き出し移動可能である。上段カゴ４は、洗浄槽１内の壁面に設けられたレール部６によって、前後方向に移動自在に支持されている。
【０００４】
また、下段カゴ５上の中央付近には小物入れ７が固定され、洗浄槽１の底部には洗浄水を温水にするときなどに使用されるヒータ８が、洗浄槽１の下部の外側には、洗浄ポンプ９がそれぞれ設けられている。なお、食器類１０は、上段カゴ４、下段カゴ５にセットされ、小物入れ７にはスプーン、フォーク等のカトラリーの小物類１１がセットされ、洗浄槽１内の下部には排水口１２が設けられている。
【０００５】
また、図６に示すように、洗浄槽１内に上段カゴ４を前後方向に移動させるレール部６を上下に複数設けている食器洗い機もある。本図では、上下に３箇所にレール部６を設けている（例えば、特許文献１参照）。
【０００６】
次に、上記食器洗い機の動作について説明する。先ず、扉２を開いて、扉２上に下段カゴ５を引き出して食器類１０と小物入れ７に小物類１１をセットする動作と、上段カゴ４を前方に引き出して食器類１０をセットする動作を行う。
【０００７】
また、図６に示すように、レール部６を上下に３箇所設けている食器洗い機では、食器類１０のセット前に、食器類１０の大きさによって、レール部６をセレクトし、上段カゴ４を上下に移動させる。すなわち、食器類１０の大きさにより３段階の高さ調整が可能である。例えば、下段カゴ５にセットする食器類１０が大きい場合は、上段カゴ４を一番上のレール部６に支持させると良い。
【０００８】
洗浄槽１内の洗浄水は、ヒータ８によって温水化され、洗浄ポンプ９にて洗浄槽１内の排水口１２から吸い込まれ、回転洗浄ノズル３に圧送され、回転洗浄ノズル３に複数設けられた洗浄水噴射口より勢いよく食器類１０に向けて噴射される。このようにして、上段カゴ４、下段カゴ５にセットされた食器類１０、小物入れ７にセットされた小物類１１が洗浄される。
【特許文献１】特開２００４−３２１２８３号公報
【発明の開示】
【発明が解決しようとする課題】
【０００９】
しかしながら、このような従来の食器洗い機においては、上段カゴ４を洗浄槽１に対し、小さく設定した場合、その支持構成が問題となる。片側は洗浄槽壁面に設けた支持部にてカゴの前部および後部を支持できるが、もう片側の支持を洗浄槽壁面に設けた場合、後部のみの支持となる。しかし、洗浄槽１は多くの場合、数ミリ程度の板金や板状の樹脂でできており、強度に問題が生じる。強度を確保するために、洗浄槽１内面に補強を施した場合、食器類１０の収容スペースを減らすことになり、使い勝手が低下する。一方、洗浄槽１外面に補強を施した場合においては、食器洗い機本体が大きくなるといった問題が生じる。また、下段カゴ５に上段カゴ４の支持部を構成した場合においても、充分な強度を確保できたとしても支持部によって食器類１０の収容スペースが減少するなど、使い勝手に問題が生じる。
【００１０】
本発明は、上記従来の課題を解決するもので、食器カゴの支持を固定洗浄ノズルで行うことで省スペース化を図り、使い勝手を向上すると同時に、食器カゴに対して充分な支持強度を有する食器洗い機を提供することを目的としている。
【課題を解決するための手段】
【００１１】
上記目的を達成するために本発明は、前面に開口を有する洗浄槽と、前記洗浄槽内に上下２段に配設された食器カゴと、前記食器カゴを支える複数の支持部と前記食器カゴに収容された被洗浄物に洗浄水を噴射する固定洗浄ノズルとを備え、前記食器カゴのうち上段の食器カゴを支える前記複数の支持部のうち少なくとも１つを前記固定洗浄ノズル設けた食器洗い機である。
【００１２】
これにより、食器カゴの支持部を充分な強度にでき、同時に省スペース化を図ることができるものである。
【発明の効果】
【００１３】
本発明の食器洗い機は、食器カゴの支持部を固定洗浄ノズルに設けることで、強度と省スペース化を両立することができる。
【発明を実施するための最良の形態】
【００１４】
第１の発明は、前面に開口を有する洗浄槽と、前記洗浄槽内に上下２段に配設された食器カゴと、前記食器カゴを支える複数の支持部材と前記食器カゴに収容された被洗浄物に洗浄水を噴射する固定洗浄ノズルとを備え、前記食器カゴのうち上段の食器カゴを支える前記複数の支持部のうち少なくとも１つを前記固定洗浄ノズル設けたことにより、固定洗浄ノズルは筒形状で構成されており、充分な強度を得られる。また支持部を小さく簡単な形状とすることができるため、省スペース化を図ることができる。
【００１５】
第２の発明は、上記第１の発明において、固定洗浄ノズルは、洗浄槽の背面内壁に沿わせて配設したことにより、洗浄槽内の被洗浄物収容スペースを減少させることなく上段カゴを支持することができ、使い勝手を向上することができる。
【００１６】
第３の発明は、上記第１〜２の発明において、上段の食器カゴは、固定洗浄ノズルに回動自在に支持したことにより、下段の食器カゴのセットスペースに収容できない大きな被洗浄物を収容する場合、当初の位置より上段の食器カゴを上方向に回動すると、下段の食器カゴ内の被洗浄物の収容スペースが大きくなる。また、当初の位置より、下方向に回動させると、上段の食器カゴの被洗浄物収容スペースが大きくなる。よって、下段カゴの被洗浄物収容スペースに収容できない大きな被洗浄物もセットできるようになり、被洗浄物のセット性を向上することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における食器洗い機の側断面図、図２は、同食器洗い機の正面図、図３は、同食器洗い機の上段カゴの動作説明図である。尚、従来例と同一部分については同一符号を付け、その説明を省略する。
【００１９】
図１、２において、本実施の形態における食器洗い機の食器類１０を収納するカゴとして、棒状の線材で構成された下段カゴ５と、下段カゴ５の後方、上方に樹脂製の副カゴの上段カゴ１５を設けている。また、扁平状の筒形状に構成される固定洗浄ノズル１８が洗浄槽１の背面に沿わせて配設される。
【００２０】
この固定洗浄ノズル１８は、回転洗浄ノズル３と同様に、洗浄ポンプ９にて洗浄槽１内の排水口１２から吸い込まれ圧送された洗浄水を、複数設けられた洗浄水噴射口より勢いよく食器類１０に向けて噴射する。この固定洗浄ノズル１８は、複数の洗浄水噴射口を有し上部に水平方向に延びる水平部２０を備え、特に上段カゴ１５にセットした食器類１０に向けて、下方、後方から洗浄水を噴射し、洗浄効果を上げることを主たる目的としている。
【００２１】
図２、３（ａ）に示すように、上段カゴ１５の大きさは、左右方向、前後方向とも下段カゴ５の略１／２の大きさである。上段カゴ１５を支持し、回転支点を兼ねる支持部Ａ１６、Ｂ１７を、それぞれ洗浄槽の左側面の後方と、洗浄槽１の内面の左右方向の略中間地点に設けた固定洗浄ノズル１８の壁面の２箇所に設けている。また、洗浄槽１の左側面の前後方向の略中間地点に、更に１箇所、上段カゴ１５を支持するための支持部Ｃ１９を設けて３点支持としている。上段カゴ１５は、支持部Ａ１６、Ｂ１７を回転支点として前方部分を上方向に回動可能に構成される。上方への回転前の初期位置での支持は、洗浄槽１壁面と固定洗浄ノズル１８の壁面に設けた支持部Ｃ１９によって、３点支持されている。通常３点支持にて食器カゴを支持する場合、その支持強度が問題となるが、本実施の形態では、筒形状の固定洗浄ノズル１８に支持部を設けたことにより、充分な強度を得ている。
【００２２】
これらの支持部Ａ１６、Ｂ１７、Ｃ１９の高さ位置は、いずれも固定洗浄ノズル１８に設けた水平部２０の洗浄水噴射口より高い位置に設定してあり、上段カゴ１５の底面が水平部２０の洗浄水噴射口より高くなるようにして、上段カゴ１５にセットした食器類１０に対する洗浄効果の向上を図っている。
【００２３】
なお、支持部Ａ１６、Ｃ１９と洗浄槽１壁面、支持部Ｂ１７と固定洗浄ノズル１８は、共に樹脂で一体に形成されている。他の構成は、従来例と同一なのでその説明を省略する。
【００２４】
以上のように構成された食器洗い機の動作、作用について説明する。食器洗い機全体としての動作は従来例と同じであるので、詳細な説明は省略し、本発明の特徴であるところの、上段カゴ１５への食器類１０のセット性に関して、以下に説明する。
【００２５】
上段カゴ１５は、支持部Ａ１６、Ｂ１７を回転支点として上方向に回動可能に構成され、上方への回転前の初期位置での支持は、洗浄槽１壁面と固定洗浄ノズル１８の壁面に設けた支持部Ｃ１９によって、３点支持されている。通常３点支持にて食器カゴを支持する場合、その支持強度が問題となるが、本実施の形態では、従来例のような数ミリ程度の板金や板状の樹脂でできた洗浄槽壁面ではなく、筒形状の固定洗浄ノズル１８に支持部Ｂ１７を設けたことにより、充分な強度が得られる。
【００２６】
そして、この筒形状の固定洗浄ノズル１８は、洗浄槽１の背面内壁に沿わせて配設したので、洗浄槽１内の被洗浄物収容スペースを減少させることなく上段カゴ１５を支持することができ、使い勝手を向上することができる。
【００２７】
また、図３（ａ）に示すように、上段カゴ１５の前後方向の長さを、下段カゴ５の前後方向の長さの略１／２以下としたことにより、上段カゴ１５を支持部Ａ１６、Ｂ１７を中心として回転すると、上段カゴ１５が洗浄槽１の後方上部に位置するので、下段カゴ５の高さ方向の被洗浄物収容スペースが大きく開く。また、食器類１０の多くは、略円形状のため、洗浄槽１の後方上部は、収容スペースとしては必要ない。よって、大きな食器類１０がセットできるものである。ちなみに、上段カゴ１５の前後方向の幅が１／２以上だと最大回転角度が小さくなり、下段カゴ５の高さ方向の収容スペースが小さくなるので、大きな食器類１０はセットできない（図３（ｂ）参照）。本実施の形態では、上段カゴ１５の左右方向の幅が下段カゴ５の幅の約１／２なので、上段カゴ１５と反対側の下段カゴ５の上部は、大きくスペースが開き、より大きな食器類１０をセットできるスペースとしている。
【００２８】
また、従来の前方に開口部を有する食器洗い機では、使用者が、下段カゴ５の後方位置に食器類１０をセットする場合、上段カゴ４が邪魔になって、食器類１０をセットし難いという問題があり、下段カゴ５を手前に引くなどの手間がかかっていたが、本発明は、上段カゴ１５の前後方向の長さが、下段カゴ５の前後方向の長さの１／２以下なので、使用者が、上段カゴ１５の下の下段カゴ５に食器類１０をセットする場合、食器類１０のセット時、上段カゴ１５が邪魔になって、セットし難いという問題もない。また、下段カゴ５を手前に引く手間もかからないというメリットも生じるものである。なお、本実施の形態は、前方に開口部を有する食器洗い機において特に有用である。
【００２９】
下段カゴ５の被洗浄物収容スペースに収容できない大きな食器類１０をセットする場合は、当初の位置より上段カゴ１５の前方部分を上方向に回転すると、下段カゴ５内の被洗浄物収容スペースが大きくなる。よって、下段カゴ５の被洗浄物収容スペースに収容できない大きな食器類１０もセットできるようになり、洗浄槽１を大きくすることなく、食器類１０のセット性が向上するものである。
【００３０】
なお、洗浄槽１の右側面にも左側面と同様の支持部を設ければ、使用者が、上段カゴ１５の位置を洗浄槽１の右後方に変えることもできるようになり、一層使い勝手も向上することができる。
【産業上の利用可能性】
【００３１】
以上のように、本発明にかかる食器洗い機は、食器カゴの支持を固定洗浄ノズルで行うことで、充分な支持強度を有し、同時に省スペース化を図ることが可能となるので、洗浄水を噴射して被洗浄物の洗浄を行う食器洗い機等として有用である。
【図面の簡単な説明】
【００３２】
【図１】本発明の実施の形態１における食器洗い機の側断面図
【図２】同食器洗い機の正面図
【図３】同食器洗い機の上段カゴの動作説明図
【図４】従来の食器洗い機の側断面図
【図５】同食器洗い機の正面図
【図６】従来の食器洗い機の他の例を示す正面図
【符号の説明】
【００３３】
１    洗浄槽
５    下段カゴ（食器カゴ）
１５  上段カゴ（食器カゴ、上段の食器カゴ）
１６  支持部Ａ（支持部）
１７  支持部Ｂ（支持部）
１８  固定洗浄ノズル
１９  支持部Ｃ（支持部）
【図１】
2007282764.tif 000003
【図２】
2007282764.tif 000004
【図３】
2007282764.tif 000005
【図４】
2007282764.tif 000006
【図５】
2007282764.tif 000007
【図６】
2007282764.tif 000008